(57)【要約】【課題】演色性が高く、また各種色温度にも対応可能な白色発光が得られ、さらに多様な可変色を得ることが可能な発光装置および照明器具を提供する。【解決手段】基板２０と；基板上に所定の配列パターンで配置された３種類以上の波長の異なる発光素子３０Ｒ、３０Ｇ、３０Ｂで構成した第一発光部３０と；基板上に第一発光部に隣接して配置され、蛍光体励起用の発光素子４０Ｂ、４１Ｂおよびこの発光素子により励起される蛍光体２４、２５を有してなる第二発光部４０と；を具備する発光装置１０を構成する。【選択図】      図２
2008270701.tif 000002
【特許請求の範囲】
【請求項１】
基板と；
基板上に所定の配列パターンで配置された３種類以上の波長の異なる発光素子で構成した第一発光部と；
基板上に第一発光部に隣接して配置され、蛍光体励起用の発光素子およびこの発光素子により励起される蛍光体を有してなる第二発光部と；
を具備することを特徴とする発光装置。
【請求項２】
基板と；
基板上に所定の配列パターンで配置された赤色発光ダイオードチップ、緑色発光ダイオードチップおよび青色発光ダイオードチップで構成した第一発光部と；
青色発光ダイオードチップおよびこの青色発光ダイオードチップにより励起される黄色蛍光体および赤色蛍光体を有してなる低色温度発光部と、青色発光ダイオードチップおよびこの青色発光ダイオードチップにより励起される黄色蛍光体を有してなる高色温度発光部で構成され基板上に第一発光部に隣接して配置された第二発光部と；
第一発光部と第二発光部の少なくとも一方の発光色を変化させる可変色手段と；
を具備することを特徴とする発光装置。
【請求項３】
基板と；
基板上に所定の配列パターンで配置された赤色発光ダイオードチップ、緑色発光ダイオードチップおよび青色発光ダイオードチップで構成した第一発光部と；
青色発光ダイオードチップおよびこの青色発光ダイオードチップにより励起される黄色蛍光体および赤色蛍光体を有してなる低色温度発光部と、青色発光ダイオードチップおよびこの青色発光ダイオードチップにより励起される緑色系蛍光体を有してなる中色温度発光部と、青色発光ダイオードチップおよびこの青色発光ダイオードチップにより励起される黄色蛍光体を有してなる高色温度発光部で構成され基板上に第一発光部に隣接して配置された第二発光部と；
第一発光部と第二発光部の少なくとも一方の発光色を変化させる可変色手段と；
を具備することを特徴とする発光装置。
【請求項４】
基板と；
基板上に所定の配列パターンで配置された赤色発光ダイオードチップ、緑色発光ダイオードチップおよび青色発光ダイオードチップで構成した第一発光部と；
青色発光ダイオードチップと、青色発光ダイオードチップおよびこの青色発光ダイオードチップにより励起される緑色系蛍光体を有してなる中色温度発光部と、赤色発光ダイオードチップで構成され基板上に第一発光部に隣接して配置された第二発光部と；
第一発光部と第二発光部の少なくとも一方の発光色を変化させる可変色手段と；
を具備することを特徴とする発光装置。
【請求項５】
前記第一発光部と第二発光部が交互に隣接して基板上にライン状に配置されたことを特徴とする請求項１ないし４いずれか一に記載の発光装置。
【請求項６】
請求項１ないし５いずれか一に記載の発光装置と；
発光装置を配置した器具本体と；
を具備することを特徴とする照明器具。
【発明の詳細な説明】
【技術分野】
【０００１】
本発明は、発光ダイオードなどを光源とした発光装置および照明器具に関する。
【背景技術】
【０００２】
近年、フィラメント電球や蛍光ランプに代わって、寿命が長く、また消費電力の少ない半導体発光素子である発光ダイオードを光源としたランプが、各種照明器具の光源として採用されるようになってきている。
【０００３】
しかしながら、発光ダイオードを照明用の光源とする場合には、白色発光を得ることが重要となる。照明用の白色発光を実現するためには、蛍光ランプなどにならったＲａ８０〜８５や９０以上の高い演色性が求められる。（Ｒａ：演色評価指数）また、色温度についても、ＨＩＤランプや、電球、蛍光ランプ等を考慮した場合には各種色温度６７００Ｋ、５０００Ｋ、４２００Ｋ、３０００Ｋ、２８００Ｋまでのラインナップが必要とされる。
【０００４】
また、近時、生活様式の多様化と相まって、一般家庭でも雰囲気に合わせて手軽に照明の色を変えることができる照明器具が要望され、業務・施設用の照明環境としても、店舗等における果物売り場や野菜売り場において、例えば、りんごをより赤く、緑の野菜をより緑色に照明したり、バック、靴など販売上重要性が高い商品について高級感をもたせる色に照明したり、また、さらには季節の移り変わりなど多様なシーンに合わせた照明環境を作ることが可能な照明器具が要求されている。
【０００５】
この要望を解決するために、従来例として下記の特許文献１、特許文献２などに、所望の色の照明を目的とした発光ダイオードによる可変色発光ダイオードや照明器具などが存在している。
【特許文献１】特開２００３−１５２２２７号公報
【特許文献２】特開２００５−１００７９９号公報
【発明の開示】
【発明が解決しようとする課題】
【０００６】
特許文献１に示されるものは、発光ダイオードを光源とし、所望の色度の照明を目的とした発光モジュールで、具体的には白色または中間色を得るため、発光ダイオードのフィルター部材（レンズ）に、発光ダイオードと補色関係の色度となる色補正手段を形成したものである。しかしながら、その目的は発光ダイオード製造時における発光波長のバラツキによって生じる歩留まりの向上であり、上述した照明用の白色発光を実現するためには、多様なフィルターを用意し製造しなければならず実現は困難である。また、多様な照明環境に対応することも困難である。特許文献２に示される可変色発光ダイオードは、白色発光ダイオードによる調整で、高い演色性をつくり出すことができない。また多様な照明環境に対応するものでもない。
【０００７】
また、発光ダイオードで白色発光を実現する方式として、波長が４６０ｎｍの青色、５２０ｎｍの緑色、６２０ｎｍの赤色にそれぞれ発光する３個の発光ダイオードを使用する方式があるが、各波長との間が連続しないため演色性が低下し、太陽光（Ｒａ＝１００）に近い演色性を出すことはできない。これを解決するために、波長が５５０ｎｍ程度の黄色の発光ダイオードを組み合わせる方式も考えられるが、黄色系統の発光ダイオードは現状では少なく、また暗いために演色性を高くすることは現状では困難である。また、演色性を向上させるために、各主波長の発光ダイオードを組み合わせることも考えられるが、相当数の主波長を有する発光ダイオードが必要となり照明器具用の発光装置として実現することは商業的にも困難である。
【０００８】
このため、この種発光ダイオードなどを光源とした発光装置および照明器具においては、演色性が高く、また照明ランプのラインナップに応じた各種色温度にも対応可能な白色発光が得られ、さらに多様な照明環境に適用した可変色が得られる発光装置を如何に実現するかが重要な課題となっている。
【０００９】
本発明は、上記の問題、課題に鑑みてなされたもので、演色性が高く、また各種色温度にも対応可能な白色発光が得られ、さらに多様な可変色を得ることが可能な発光装置および照明器具を提供しようとするものである。
【課題を解決するための手段】
【００１０】
本発明の目的を達成するため、請求項１に記載の発光装置の発明は、基板と；基板上に所定の配列パターンで配置された３種類以上の波長の異なる発光素子で構成した第一発光部と；基板上に第一発光部に隣接して配置され、蛍光体励起用の発光素子およびこの発光素子により励起される蛍光体を有してなる第二発光部と；を具備することを特徴とする。
【００１１】
本発明によれば、基板上に所定の配列パターンで配置された３種類以上の波長の異なる発光素子で構成した第一発光部により、多様な可変色を得ることが可能となる。
【００１２】
また、第一発光部に隣接して配置され、蛍光体励起用の発光素子およびこの発光素子により励起される蛍光体を有してなる第二発光部により、演色性が高く、また各種色温度にも対応可能な白色発光が得られる。
【００１３】
本発明において、発光素子は、発光ダイオードや半導体レーザなどの半導体発光素子が好適である。３種類以上の波長の異なる発光素子は、例えば、主波長が６２０ｎｍの赤色発光ダイオードチップ、主波長が５２０ｎｍの緑色発光ダイオードチップ、主波長が４６０ｎｍの青色発光ダイオードチップ等が許容される。蛍光体励起用の発光素子は、例えば、主波長が４６０ｎｍの青色発光ダイオードチップ等が許容される。発光素子により励起される蛍光体は、例えば、上記の主波長が４６０ｎｍの青色発光ダイオードチップで励起される黄色蛍光体および赤色蛍光体、主波長が４６０ｎｍの青色発光ダイオードチップで励起される黄色蛍光体等が許容される。上記の赤色、緑色、青色、黄色は、色度図における赤色、緑色、青色、黄色を主として発光することが好ましいが、実用上支障を来たさない範囲で、色度図上で多少ずれた、赤色、緑色、青色、黄色に近似する色であってもよい。所定の配列パターンは、ライン状やマトリックス状、さらにはリング状に配列されるようにしてもよい。
【００１４】
基板は、半導体発光素子等から発生する熱を放熱するために、アルミニウム等の熱伝導性の良好な金属で構成することを許容するが、合成樹脂の素材にアルミニウム等の金属膜をコーティングしたもの、アルミ箔等を被覆したものなどでもよく、その材質は特定のものに限定されない。
【００１５】
請求項２に記載の発光装置の発明は、基板と；基板上に所定の配列パターンで配置された赤色発光ダイオードチップ、緑色発光ダイオードチップおよび青色発光ダイオードチップで構成した第一発光部と；青色発光ダイオードチップおよびこの青色発光ダイオードチップにより励起される黄色蛍光体および赤色蛍光体を有してなる低色温度発光部と、青色発光ダイオードチップおよびこの青色発光ダイオードチップにより励起される黄色蛍光体を有してなる高色温度発光部で構成され基板上に第一発光部に隣接して配置された第二発光部と；第一発光部と第二発光部の少なくとも一方の発光色を変化させる可変色手段と；を具備することを特徴とする。
【００１６】
本発明において、第一発光部の赤色発光ダイオードチップは、主波長が６２０ｎｍの発光ダイオードチップが許容されるが、これに限定されない。緑色発光ダイオードチップは、主波長が５２０ｎｍの発光ダイオードチップが許容されるが、これに限定されない。青色発光ダイオードチップは、主波長が４６０ｎｍの発光ダイオードチップが許容されるが、これに限定されない。
【００１７】
第二発光部の蛍光体励起用の青色発光ダイオードチップは、主波長が４６０ｎｍの青色発光ダイオードチップが許容されるが、これに限定されない。第二発光部の青色発光ダイオードチップおよびこの青色発光ダイオードチップにより励起される黄色蛍光体および赤色蛍光体を有してなる低色温度発光部は、色温度３０００Ｋの電球色を発光することが好ましいが、これには限定されない。また青色発光ダイオードチップおよびこの青色発光ダイオードチップにより励起される黄色蛍光体を有してなる高色温度発光部は、色温度６７００Ｋの昼光色を発光することが好ましいが、これには限定されない。すなわち、高色温度発光部の色温度は、相対的に低色温度発光部の色温度より高ければよい。
【００１８】
第一発光部は、発光素子上に透明樹脂層を有し、第二発光部は発光素子上に蛍光体層を有し、第一発光部と第二発光部が交互に隣接して基板上にライン状に配置されていてもよい。
【００１９】
透明樹脂層は、例えば、シリコーン樹脂やエポキシ樹脂が許容され、発光ダイオードチップ等の発光素子の外側に塗布または充填等の手段で形成されるようにしてもよい。
【００２０】
蛍光体層は、所定の蛍光体を、シリコーン樹脂やエポキシ樹脂等の透明な樹脂に加えて混合・分散させた層として形成してもよい。また蛍光体層は、発光素子の外側を覆うように形成することができるが、発光素子を直接覆うようにして予め透明樹脂層を形成し、その上に蛍光体を含む層を設けるようにしてもよい。上述した透明樹脂層は、蛍光体を含まない透明樹脂層として形成するようにしてもよい。また、蛍光体層は蛍光体を含有させた蛍光体シートとして構成し、発光素子を覆って透明樹脂層を設け、その上部に蛍光体シートを設けるようにしてもよい。
【００２１】
可変色手段は、第一発光部のみを可変色にしても、第二発光部のみを可変色にしても、さらに第一、第二の双方を可変色にしてもよい。可変させるための手段は、蛍光体の種類、配合およびまたは蛍光体樹脂の厚さ等を調整する手段でもよい。さらに、各発光ダイオードに供給する電気エネルギーを調整して可変する手段でもよい。
【００２２】
請求項３に記載の発光装置の発明は、基板と；基板上に所定の配列パターンで配置された赤色発光ダイオードチップ、緑色発光ダイオードチップおよび青色発光ダイオードチップで構成した第一発光部と；青色発光ダイオードチップおよびこの青色発光ダイオードチップにより励起される黄色蛍光体および赤色蛍光体を有してなる低色温度発光部と、青色発光ダイオードチップおよびこの青色発光ダイオードチップにより励起される緑色系蛍光体を有してなる中色温度発光部と、青色発光ダイオードチップおよびこの青色発光ダイオードチップにより励起される黄色蛍光体を有してなる高色温度発光部で構成され基板上に第一発光部に隣接して配置された第二発光部と；第一発光部と第二発光部の少なくとも一方の発光色を変化させる可変色手段と；を具備することを特徴とする。
【００２３】
本発明において、第二発光部の青色発光ダイオードチップおよびこの青色発光ダイオードチップにより励起される緑色系蛍光体を有してなる中色温度発光部は、色温度５０００Ｋの昼白色を発光することが好ましいが、これには限定されない。すなわち、低色温度発光部と高色温度発光部の中間の色温度であればよい。
【００２４】
緑色系蛍光体は、黄色蛍光体と緑色蛍光体により構成することが好ましいが、これには限定されない。緑色系蛍光体は、所定の蛍光体を、シリコーン樹脂やエポキシ樹脂等の透明な樹脂に加えて混合・分散させた層として形成してもよい。また蛍光体層は、発光素子の外側を覆うように形成することができるが、発光素子を直接覆うようにして予め透明樹脂層を形成し、その上に蛍光体を含む層を設けるようにしてもよい。
【００２５】
中色温度発光部は、低色温度発光部と高色温度発光部との間、換言すれば、第一、第二発光部からなる発光部全体においても、略中央部分に位置することが好ましいが、配置される位置、順番は特に限定されない。
【００２６】
請求項４に記載の発光装置の発明は、基板と；基板上に所定の配列パターンで配置された赤色発光ダイオードチップ、緑色発光ダイオードチップおよび青色発光ダイオードチップで構成した第一発光部と；青色発光ダイオードチップと、青色発光ダイオードチップおよびこの青色発光ダイオードチップにより励起される緑色系蛍光体を有してなる中色温度発光部と、赤色発光ダイオードチップで構成され基板上に第一発光部に隣接して配置された第二発光部と；第一発光部と第二発光部の少なくとも一方の発光色を変化させる可変色手段と；を具備することを特徴とする。
【００２７】
本発明において、第二発光部の青色発光ダイオードチップは、主波長が４６０ｎｍの発光ダイオードチップが許容されるが、これに限定されない。緑色系蛍光体を励起する青色発光ダイオードチップは、主波長が４６０ｎｍの発光ダイオードチップが許容されるが、これに限定されない。赤色発光ダイオードチップは、主波長が６２０ｎｍの発光ダイオードチップが許容されるが、これに限定されない。
【００２８】
第二発光部の青色発光ダイオードチップおよびこの青色発光ダイオードチップにより励起される緑色系蛍光体を有してなる中色温度発光部は、色温度５０００Ｋの昼白色を発光することが好ましいが、これには限定されない。
【００２９】
第二発光部の青色発光ダイオードチップおよび赤色発光ダイオードチップは、外側に塗布または充填等の手段で透明樹脂層が形成されるようにしてもよい。
【００３０】
緑色系蛍光体は、黄色蛍光体と緑色蛍光体により構成することが好ましいが、これには限定されない。
【００３１】
中色温度発光部は、青色発光ダイオードチップと赤色発光ダイオードチップとの間、換言すれば、第一、第二発光部からなる発光部全体においても、略中央部分に位置することが好ましいが、配置される位置、順番は特に限定されない。
【００３２】
請求項５に記載の発明は、請求項１ないし４いずれか一に記載の発光装置において、前記第一発光部と第二発光部が交互に隣接して基板上にライン状に配置されたことを特徴とする。
【００３３】
第一発光部と第二発光部が交互に隣接して基板上にライン状に配置されることは、光を均一に発光させることができ、例えば、３本のラインからなる第一発光部と２本または３本のラインからなる第二発光部が交互に隣接して配置されることが許容される。
【００３４】
請求項６に記載の照明器具の発明は、請求項１ないし５いずれか一に記載の発光装置と；発光装置を配置した器具本体と；を具備することを特徴とする。
【００３５】
発光装置は、単体で照明器具を構成しても、または1個の照明モジュールとして機能させ、複数個を平面状やライン状、リング状、さらには球状等に配置して照明器具を構成するようにしてもよい。
【発明の効果】
【００３６】
請求項１の発明によれば、基板上に所定の配列パターンで配置された３種類以上の波長の異なる発光素子で構成した第一発光部により、多様な可変色を得ることが可能な発光装置を提供することができる。
【００３７】
また、第一発光部に隣接して配置され、蛍光体励起用の発光素子およびこの発光素子により励起される蛍光体を有してなる第二発光部により、演色性が高く、また各種色温度にも対応可能な白色発光が得られる発光装置を提供することができる。
【００３８】
請求項２の発明によれば、基板上に所定の配列パターンで配置された赤色発光ダイオードチップ、緑色発光ダイオードチップおよび青色発光ダイオードチップで構成した第一発光部により、多様な可変色を得ることが可能な発光装置を提供することができる。
【００３９】
また、青色発光ダイオードチップおよびこの青色発光ダイオードチップにより励起される黄色蛍光体および赤色蛍光体を有してなる低色温度発光部と、青色発光ダイオードチップおよびこの青色発光ダイオードチップにより励起される黄色蛍光体を有してなる高色温度発光部で構成され基板上に第一発光部に隣接して配置された第二発光部により、演色性が高く、また各種色温度にも対応可能な白色発光が得られる発光装置を提供することができる。
【００４０】
さらに、第一発光部と第二発光部の少なくとも一方の発光色を変化させる可変色手段により、演色性が高く、また各種色温度にも対応可能な白色発光をベースにした多様な照明環境を提供することが可能な発光装置を提供することができる。
【００４１】
請求項３の発明によれば、青色発光ダイオードチップおよびこの青色発光ダイオードチップにより励起される黄色蛍光体および赤色蛍光体を有してなる低色温度発光部と、青色発光ダイオードチップおよびこの青色発光ダイオードチップにより励起される緑色系蛍光体を有してなる中色温度発光部と、青色発光ダイオードチップおよびこの青色発光ダイオードチップにより励起される黄色蛍光体を有してなる高色温度発光部で構成され基板上に第一発光部に隣接して配置された第二発光部により、演色性が高く、また各種色温度にも対応可能な白色発光が得られる発光装置を提供することができる。
【００４２】
請求項４の発明によれば、青色発光ダイオードチップと、青色発光ダイオードチップおよびこの青色発光ダイオードチップにより励起される緑色系蛍光体を有してなる中色温度発光部と、赤色発光ダイオードチップで構成され基板上に第一発光部に隣接して配置された第二発光部により、白色の効率が高く、演色性が高く、また色温度が安定し各種色温度にも対応可能な白色発光が得られる発光装置を提供することができる。
【００４３】
請求項５の発明によれば、第一発光部と第二発光部が交互に隣接して基板上にライン状に配置したので、光を均一に発光させることができる。
【００４４】
請求項６の発明によれば、演色性が高く、また各種色温度にも対応可能な白色発光が得られ、さらに多様な可変色を得ることが可能な照明器具を提供することができる。
【発明を実施するための最良の形態】
【００４５】
以下、本発明に係る発光装置および照明器具の実施形態について説明する。
【実施例１】
【００４６】
図１〜図４に示すように、本実施例の発光装置は、屋内の照明を行う照明器具として構成されたもので、発光装置１０は、基板２０、基板上に配列された第一発光部３０、第一発光部に隣接して配置された第二発光部４０、第一発光部と第二発光部の少なくとも一方の発光色を変化させる可変色手段５０で構成する。
【００４７】
基板２０は、熱伝導性の良好なアルミニウムで構成され、発光装置に必要とされる発光面積を得るために平板長方形状をなすように構成する。基板２０は、ヒートシンクの作用をなす横断面が長方形の薄い箱状をなし、その上面に長手方向に沿って複数、本実施例では１０本の溝２０ａ〜２０ｊを形成する。それぞれの溝は、その両側面を開放部に向かって拡開するように傾斜させた反射面となし、その表面に可視光の反射率の高い白色塗料等を塗布して形成する。
【００４８】
さらに、その内底面に第一発光部３０および第二発光部４０を構成する複数の発光ダイオード（以下「ＬＥＤ」と称する）をそれぞれ実装した長方形のプリント配線基板が重ねられて配置される。
【００４９】
第一発光部３０は、主波長が６２０ｎｍの赤色ＬＥＤチップ３０Ｒ、主波長が５２０ｎｍの緑色ＬＥＤチップ３０Ｇおよび主波長が４６０ｎｍの青色ＬＥＤチップ３０Ｂで構成する。
【００５０】
この３種類の各ＬＥＤチップは、それぞれ複数個用意され、それぞれの１本の長方形のプリント配線基板２１Ｒ、２１Ｇ、２１Ｂの長手方向に沿って略等間隔に配置して実装される。
【００５１】
複数個の赤色ＬＥＤチップ３０Ｒが実装された配線基板２１Ｒが、基板２０の図１、図２中左端の溝２０ａに配置され、以下、緑色ＬＥＤチップ３０Ｇが隣の溝２０ｂに、青色ＬＥＤチップ３０Ｂがさらに隣の溝２０ｃに順に配置され、第一発光部３０が基板２０上にライン状に配列される。上記に配置された基板の各溝には、各ＬＥＤチップの外側を覆ってシリコーン樹脂やエポキシ樹脂等の透明樹脂が充填され、透明樹脂層２２が形成される。
【００５２】
第二発光部４０は、主波長が４６０ｎｍの青色ＬＥＤチップ４０Ｂおよびこの青色ＬＥＤチップ４０Ｂにより励起される黄色蛍光体２５および赤色蛍光体２４を有してなる低色温度発光部Ａと、主波長が４６０ｎｍの青色ＬＥＤチップ４１Ｂおよびこの青色ＬＥＤチップ４１Ｂにより励起される黄色蛍光体２５を有してなる高色温度発光部Ｂで構成する。
【００５３】
青色ＬＥＤチップ４０Ｂにより励起される黄色蛍光体２５および赤色蛍光体２４を有してなる低色温度発光部Ａにより、色温度３０００Ｋの電球色を発光する。また、青色ＬＥＤチップ４１Ｂにより励起される黄色蛍光体２５を有してなる高色温度発光部Ｂにより色温度６７００Ｋの昼光色を発光する。
【００５４】
この２種類の各ＬＥＤチップ４０Ｂ、４１Ｂは、それぞれ複数個用意され、それぞれの１本の長方形のプリント配線基板２２Ｂ、２３Ｂの長手方向に沿って略等間隔に配置して実装される。
【００５５】
複数個の青色ＬＥＤチップ４０Ｂが実装された配線基板２２Ｂを、第一発光部の青色ＬＥＤチップ３０Ｂの隣の溝２０ｄに配置し、さらに隣の溝２０ｅに青色ＬＥＤチップ４１Ｂを順に配置する。
【００５６】
上記に配置された基板２０の各溝には、蛍光体を充填する。すなわち、色温度３０００Ｋの電球色を発光させるための青色ＬＥＤチップ４０Ｂを配置した溝２０ｄには、青色ＬＥＤチップ４０Ｂにより励起される黄色蛍光体２５および赤色蛍光体２４を充填する。
【００５７】
また、色温度６７００Ｋの昼光色を発光させるための青色ＬＥＤ４１Ｂを配置した溝２０ｅには、青色ＬＥＤチップ４１Ｂにより励起される黄色蛍光体２５を充填する。これらの充填は、各ＬＥＤチップの外側を覆い、所定の蛍光体をシリコーン樹脂やエポキシ樹脂等の透明な樹脂に加えて混合・分散させた層として形成する。なお、各ＬＥＤチップを直接覆うようにして予め透明樹脂層を形成し、その上に蛍光体を含む層を設けるようにしてもよい。
【００５８】
上記により、基板２０上に、２列からなる第二発光部４０が３列からなる第一発光部３０に隣接して配置される。本実施例では、上記３列の第一発光部３０と２列の第二発光部４０からなる発光群を、さらにもう１群配置して構成する。
【００５９】
すなわち、基板の溝２０ｆ、２０ｇ、２０ｈに、上記同様にして第一発光部３０の各ＬＥＤチップ３０Ｒ、３０Ｇ、３０Ｂをそれぞれ配置し、溝２０ｉ、２０ｊに第二発光部４０の各ＬＥＤチップ４０Ｂ、４１Ｂをそれぞれ配置する。上記同様に各ＬＥＤチップに対応して透明樹脂層２２および蛍光体層２４、２５がそれぞれ設けられる。これにより、３列の第一発光部３０の隣に２列の第二発光部４０が、その隣に３列の第一発光部３０が、さらにその隣に２列の第二発光部４０が配置され、第一発光部と第二発光部が交互に隣接して基板上にライン状に配置される。
【００６０】
上記の赤色蛍光体２４としては、Ｌａ２Ｏ２Ｓ：Ｅｕ蛍光体のような酸硫化物蛍光体、窒化物系蛍光体（例えば、ＡＥ２Ｓｉ５Ｎ８：Ｅｕ2+やＣａＡｌＳｉＮ３：Ｅｕ2+）などが用いられるが、特に限定されるものではない。また、黄色蛍光体２５は、例えばＲＥ３（Ａｌ，Ｇａ）５Ｏ１２：Ｃｅ蛍光体（ＲＥは、Ｙ、ＧｄおよびＬａから選ばれる少なくとも１種を示す。）などのＹＡＧ蛍光体、（Ｔｂ，Ａｌ）５Ｏ１２：Ｃｅ蛍光体などのＴＡＧ蛍光体、サイアロン系蛍光体（例えば、ＣａｘＳｉｙＡｌｚＯＮ：Ｅｕ2+）、ＡＥ２ＳｉＯ４：Ｅｕ蛍光体（ＡＥは、Ｓｒ、Ｂａ、Ｃａなどのアルカリ土類元素を示す）やＳｒ３Ｓｉ３Ｏ５：Ｅｕ2+蛍光体などのケイ酸塩蛍光体などの中から、蛍光体の特性や用途に応じて選択される（上記ｘ、ｙ、ｚの係数は適宜決定することができる）。例えば、前記青色光に励起されて波長５９０ｎｍ以上６５０ｎｍ未満の範囲に発光ピークを有する赤色蛍光体、波長５４０ｎｍ以上５９０ｎｍ未満の範囲に発光ピークを有する黄色蛍光体などを用いることができる。
【００６１】
なお、これら各単色光を発光する蛍光体の種類および配合割合は、発光装置からの発光のＲａが高く、かつ高い発光効率が得られるように、また、所望の色温度における白色などが得られるように調整される。
【００６２】
可変色手段５０は、上記のように蛍光体の種類、配合およびまたは蛍光体樹脂の厚さ等を調整する手段で構成してもよいが、本実施例では、各ＬＥＤに供給する電気エネルギーを調整して可変する手段で構成する。すなわち、可変色手段５０を構成する制御回路は、図３に概略的に示すように、２個の制御スイッチ５１、５２を有する。
【００６３】
制御スイッチ５１は、第一発光部３０の各ＬＥＤチップを制御するもので、発光する光の色を「赤色」→「緑色」→「青色」へ連続的に切り替えるためのＰＷＭ信号を生成する回路を内蔵したもので、つまみ５１ａを切換表示に沿って左右にスライドすることが可能なスライド式のスイッチからなる。
【００６４】
制御スイッチ５２は、第二発光部４０の色温度を「高色温度」→「中色温度」→「低色温度」に連続的に切換るためのＰＷＭ信号を生成する回路を内蔵したもので、本実施例では「昼光」「昼白」「電球」の切換表示に沿ってつまみ５２ａを左右にスライドすることが可能なスライド式のスイッチからなる。
【００６５】
各スライドスイッチ５１、５２は、使用者が必要とする照明環境を、その切換表示に合わせて、それぞれのつまみを左右にスライドすることにより無段階に簡単に設定ができるようになっている。
【００６６】
また、制御回路には、第一発光部３０を構成する２群の各ＬＥＤチップ３０Ｒ、３０Ｇ、３０Ｂを並列接続し、また第二発光部４０を構成する２群の各ＬＥＤチップ４０Ｂ、４１Ｂもそれぞれ並列に接続し、各並列のＬＥＤチップ群を一括して、上述した各制御スイッチ５１、５２からのＰＷＭ信号に応じてＯＮ／ＯＦＦするフォトカプラ５１ｂ、５２ｂにそれぞれ直列に接続する。５３は直流電源である。
【００６７】
上記制御スイッチ５１からは、「赤色」「緑色」「青色」の切換へ動作に対応したＰＷＭ信号が生成され、このＰＷＭ信号に応じて、各ＬＥＤチップに供給される電力が無段階に増減し、制御スイッチ５１のスライド方向に応じて、発光する光の色を、「赤色」→「緑色」→「青色」に、または、逆に「青色」→「緑色」→「赤色」にそれぞれ無段階に可変することができる。
【００６８】
また、制御スイッチ５２からは、「昼光色」「昼白色」「電球色」の切換へ動作に対応したＰＷＭ信号が生成され、このＰＷＭ信号に応じて、各ＬＥＤチップに供給される電力が無段階に増減し、制御スイッチ５２のスライド方向に応じて、発光する光の色温度を「昼光色」→「昼白色」→「電球色」に、または、逆に「電球色」→「昼白色」→「昼光色」に、それぞれ無段階に可変することができる。
【００６９】
上記に構成された発光装置１０は、図４に示すように、熱伝導性の良好なアルミニウム製のケース体からなる器具本体６０内に収納され、器具本体の開口部は発光装置に面する無色透明なポリカーボネート等からなる透光体６１で閉塞され、面光源としての照明器具７０が構成される。照明器具７０は、別個に上記制御回路５０を有するコントローラ８０にケーブルを介して接続される。なお、コントローラ８０には、電源をＯＮ／ＯＦＦする電源スイッチ、および上記制御回路５０の各制御スイッチ５１、５２が設置される。
【００７０】
上記のように構成された発光装置および照明器具により、例えば、店舗内を各種の照明環境に合わせて照明を行う方法につき説明する。
【００７１】
例えば、夏季の暑い時期に部屋を涼しく感じさせる照明環境で照明を行いたい場合には、まず、制御スイッチ５２を「昼光」の切換表示に合わせるようにスライドする。
【００７２】
これにより、「昼光色」の切換へ動作に対応したＰＷＭ信号が第二発光部４０に供給され、高色温度発光部Ｂの青色ＬＥＤチップ４１Ｂが主として発光し黄色蛍光体２５を励起して、高色温度である昼光色（６７００Ｋ）に近い色温度の光が放射され、青みがかった色で「涼さを」演出した照明環境をつくることができる。
【００７３】
また、春、秋の快適な時期の環境に合わせて、軟らかい太陽光に近い白色の照明環境で照明を行いたい場合には、制御スイッチ５２を「昼白」の切換表示に合わせる。
【００７４】
これにより、「昼白色」の切換へ動作に対応したＰＷＭ信号が第二発光部４０に供給され、低色温度発光部Ａの青色ＬＥＤチップ４０Ｂと高色温度発光部Ｂの青色ＬＥＤチップ４１Ｂが発光し、青色ＬＥＤチップ４０Ｂが黄色蛍光体２５と赤色蛍光体２４を励起し、さらに青色ＬＥＤチップ４１Ｂが黄色蛍光体２５を励起して、それぞれが混色し中色温度である昼白色（５０００Ｋ）に近い色温度の光が放射され、柔らかい太陽光に近い白色の照明環境を演出した照明環境をつくることができる。
【００７５】
また、冬季の寒い時期に部屋を暖かく感じさせる照明環境で照明を行う場合には、制御スイッチ５２を「電球」の切換表示に合わせる。これにより、「電球色」の切換へ動作に対応したＰＷＭ信号が第二発光部４０に供給され、低色温度発光部Ａの青色ＬＥＤチップ４０Ｂが主として発光し黄色蛍光体２５と赤色蛍光体２４を励起して、低色温度である電球色（３０００Ｋ）に近い色温度の光が放射され、赤みがかった色で「暖かさ」を演出した照明環境をつくることができる。
【００７６】
上記における「昼光色」「昼白色」「電球色」の切り換へは、ＰＷＭ信号により供給電力を無段階に調整することができ、図５および図６に示す色度図上の黒体軌跡ａに略沿った、特に図５中破線に沿った各種色温度に対応可能な白色発光をつくり出すことができる。換言すれば、ラインナップされた各照明ランプの各種色温度に対応可能な白色発光をつくり出すことができる。図６中、Ｄ、Ｗ、Ｌは、それぞれ昼光色蛍光ランプ、昼白色蛍光ランプ、電球色蛍光ランプの色温度を示す。
【００７７】
同時に、青色ＬＥＤチップ４０Ｂには黄色蛍光体２５および赤色蛍光体２４を、また青色ＬＥＤチップ４１Ｂには黄色蛍光体２５がそれぞれ充填してある。このため、第二発光部４０から放射される光は、各ＬＥＤチップ４０Ｂ、４１Ｂから放射される光と各蛍光体２４、２５でそれぞれ励起される黄色、赤色とが混色されて演色性が高くなり（Ｒａ＝８０）、より太陽光に近い、黒体軌跡ａに沿った白色の光をつくり出すことができる。
【００７８】
次に、制御スイッチ５１を操作することにより、多様な可変色が得られる。すなわち、制御スイッチ５１からは、「赤色」「緑色」「青色」の切換へ動作に対応したＰＷＭ信号が生成され、このＰＷＭ信号に応じて第一発光部３０の赤色ＬＥＤチップ３０Ｒ、緑色ＬＥＤチップ３０Ｇ、青色ＬＥＤチップ３０Ｂに、それぞれに供給される電力が無段階に増減される。
【００７９】
これにより、図６の色度図に示すように、波長６２０ｎｍのＲ点、波長５２０ｎｍのＧ点、さらに波長４６０ｎｍのＢ点を囲む三角形Ｓ１の範囲内における各種の色を作り出すことができる。例えば、舞台照明などにおいて、背景を赤色に照明する場合には、制御スイッチ５１を「赤」の切換表示に合わせるようにスライドする。これにより、「赤」の切換へ動作に対応したＰＷＭ信号が第一発光部３０に供給され、波長６２０ｎｍの赤色ＬＥＤチップ３０Ｒが主として発光し、赤色で演出した照明環境をつくることができる。
【００８０】
同様に、制御スイッチ５１を「緑」の切換表示に合わせるようにスライドすると波長５２０ｎｍの緑色ＬＥＤチップ３０Ｇが主として発光し、緑色で演出した照明環境をつくることができる。
【００８１】
さらに、「青」の切換表示に合わせるようにスライドすると波長４６０ｎｍの青色ＬＥＤチップ３０Ｂが主として発光し、青色で演出した照明環境をつくることができる。
【００８２】
さらに、制御スイッチは任意の位置にスライドすることができ、上述した色度図上の三角形Ｓ１の範囲内における各種の色の照明環境を任意に作り出すことができる。また、両方の制御スイッチ５１および５２を操作して、第一、第二発光部を同時に発光させることにより、さらに多様な色に変えることができる。特に、第一発光部３０から発光される多様な色の光に対して、演色性の高い光をつくり出すことが可能な第二発光部４０の白色光を混色させることができるので、演色性の高い各種多様な色の光をつくり出すことができ、より演出効果の高い照明環境がつくり出せる。
【００８３】
なお、上記の各作動において、各ＬＥＤチップから発光した光の内、直進せずに周囲方向に拡散した光は、基板２０の反射面で反射して透光体６１から光ロスなく放射される。また、各ＬＥＤチップから発生する熱は、アルミニウムで構成した基板２０に直接伝導され、器具本体６０の外周面から効果的に外部に放出され各ＬＥＤチップの温度上昇を抑制する。
【００８４】
以上、本実施例によれば、色温度３０００Ｋの電球色を発光させるための青色ＬＥＤ４０Ｂに黄色蛍光体２５および赤色蛍光体２４を、また色温度６７００Ｋの昼光色を発光させるための青色ＬＥＤ４１Ｂに黄色蛍光体２５をそれぞれ充填して低色温度発光部Ａと高色温度発光部Ｂからなる第二発光部４０を構成し、各ＬＥＤチップの供給電力を無段階に調整することができるようにしたので、演色性が高く（Ｒａ＝８０）、より黒体軌跡ａに略沿った白色の光をつくり出すことができる。同時に、黒体軌跡ａに略沿った、ラインナップされた各照明ランプの各種色温度に対応可能な白色発光をつくり出すことができる。
【００８５】
さらに、主波長が６２０ｎｍの赤色ＬＥＤチップ、主波長が５２０ｎｍの緑色ＬＥＤチップおよび主波長が４６０ｎｍ青色ＬＥＤチップで第一発光部３０を構成し、各ＬＥＤチップの供給電力を無段階に調整することができるようにしたので、色度図上の波長６２０ｎｍのＲ点、波長５２０ｎｍのＧ点、さらに波長４６０ｎｍのＢ点を囲む三角形Ｓ１の範囲内における各種の色をつくり出すことができ、各種の色の照明環境を任意に作り出すことができる。
【００８６】
さらに、第一、第二発光部を同時に発光させることにより、演色性が高く、また各種色温度にも対応可能な白色発光をベースにした多様な照明環境を提供することができる。また、３列の第一発光部３０と２列の第二発光部４０を交互に隣接してライン状に配置したので、光を均一に発光させることができると共に、ライン数が少なく細い第二発光部の蛍光体層の充填作業が容易に行え、確実に充填することができる。
【００８７】
以上本実施例において、第一発光部を主波長が６２０ｎｍの赤色ＬＥＤチップ、主波長が５２０ｎｍの緑色ＬＥＤチップ、主波長が４６０ｎｍの青色ＬＥＤチップで構成したが、さらに、例えば、主波長５４０ｎｍの黄色系ＬＥＤチップを追加してもよい。これによれば、図７における色度図に示すように、波長６２０ｎｍのＲ点、波長５４０ｎｍの黄色系のＹ点、波長５２０ｎｍのＧ点、さらに波長４６０ｎｍのＢ点を囲む四角形Ｓ２の範囲内における各種の色をつくり出すことができる。さらに赤色系、緑色系、青色系のＬＥＤチップを追加して、より多くの色をつくり出すようにしてもよい。
【００８８】
照明器具７０は、１枚の発光装置で構成したが複数枚を平面状やライン状、リング状、さらには球状等に配置して照明器具を構成するようにしてもよい。照明器具７０を制御するコントローラ８０を、照明器具と別体に構成したが、一体に構成してもよい。
【実施例２】
【００８９】
本実施例は、実施例１において、第二発光部４０を、低色温度発光部Ａと、高色温度発光部Ｂにより構成したが、さらに色温度５０００Ｋの昼白色を発光させるための青色ＬＥＤチップおよびこの青色ＬＥＤチップにより励起される緑色系蛍光体を有してなる中色温度発光部を追加したもので、以下その構成を図８および図９に従い説明する。図８および図９には実施例１と同一部分に同一の符号を付して、詳細な説明は省略する。
【００９０】
第一発光部３０は、実施例１と同様に、主波長が６２０ｎｍの赤色ＬＥＤチップ３０Ｒ、主波長が５２０ｎｍの緑色ＬＥＤチップ３０Ｇおよび主波長が４６０ｎｍの青色ＬＥＤチップ３０Ｂで構成され、複数個の赤色ＬＥＤチップ３０Ｒが実装された配線基板２１Ｒが、基板２０の図８中左端の溝２０ａに配置され、以下、緑色ＬＥＤチップ３０Ｇが隣の溝２０ｂに、青色ＬＥＤチップ３０Ｂがさらに隣の溝２０ｃに順に配置される。
【００９１】
本実施例の第二発光部４０は、主波長が４６０ｎｍの青色ＬＥＤチップ４０Ｂおよびこの青色ＬＥＤチップ４０Ｂにより励起される黄色蛍光体２５および赤色蛍光体２４を有してなる低色温度発光部Ａと、主波長が４６０ｎｍの青色ＬＥＤチップ４２Ｂおよびこの青色ＬＥＤチップ４２Ｂにより励起される緑色系蛍光体、本実施例では黄色蛍光体２５および緑色蛍光体２６を有してなる中色温度発光部Ｃと、主波長が４６０ｎｍの青色ＬＥＤチップ４１Ｂおよびこの青色ＬＥＤチップ４１Ｂにより励起される黄色蛍光体２５を有してなる高色温度発光部Ｂで構成する。
【００９２】
主波長が４６０ｎｍの青色ＬＥＤチップ４０Ｂにより励起される黄色蛍光体２５および赤色蛍光体２５を有してなる低色温度発光部Ａにより、色温度３０００Ｋの電球色を発光する。また、主波長が４６０ｎｍの青色ＬＥＤチップ４２Ｂにより励起される黄色蛍光体２５および緑色蛍光体２６を有してなる中色温度発光部Ｃにより色温度５０００Ｋの昼白色を発光する。さらに、主波長が４６０ｎｍの青色ＬＥＤチップ４１Ｂにより励起される黄色蛍光体２５からなる高色温度発光部Ｂにより色温度６７００Ｋの昼光色を発光する。
【００９３】
この３種類の各ＬＥＤチップ４０Ｂ、４１Ｂ、４２Ｂは、それぞれ複数個用意され、それぞれの１本の長方形のプリント配線基板２２Ｂ、２３Ｂ、２４Ｂの長手方向に沿って略等間隔に配置して実装される。複数個の青色ＬＥＤチップ４０Ｂが実装された配線基板２２Ｂを、第一発光部の青色ＬＥＤチップ３０Ｂの隣の溝２０ｄに配置し、さらに隣の溝２０ｅに青色ＬＥＤチップ４２Ｂを、さらにその隣の溝２０ｆに青色ＬＥＤチップ４１Ｂを順に配置する。
【００９４】
上記に配置された基板２０の各溝には、蛍光体を充填する。すなわち、色温度３０００Ｋの電球色を発光させるための青色ＬＥＤチップ４０Ｂを配置した溝２０ｄには、青色ＬＥＤチップ４０Ｂにより励起される黄色蛍光体２５および赤色蛍光体２４を充填する。また、色温度５０００Ｋの昼白色を発光させるための青色ＬＥＤ４２Ｂを配置した溝２０ｅには、青色ＬＥＤチップ４２Ｂにより励起される黄色蛍光体２５および緑色蛍光体２６を充填する。さらに、色温度６７００Ｋの昼光色を発光させるための青色ＬＥＤ４１Ｂを配置した溝２０ｆには、青色ＬＥＤチップ４１Ｂにより励起される黄色蛍光体２５を充填する。
【００９５】
上記により、基板２０上に、３列からなる第二発光部４０が３列からなる第一発光部３０に隣接して配置される。本実施例では、上記３列の第一発光部３０と３列の第二発光部４０からなる発光群を、さらにもう１群配置して構成する。これにより、３列の第一発光部３０の隣に３列の第二発光部４０が、その隣に３列の第一発光部３０が、さらにその隣に３列の第二発光部４０が配置され、第一発光部と第二発光部が交互に隣接して基板上にライン状に配置される。
【００９６】
上記の緑色蛍光体２６としては、例えば、ＲＥ３（Ａｌ，Ｇａ）５Ｏ１２：Ｃｅ蛍光体（ＲＥは、Ｙ、ＧおよびＬａから選ばれる少なくとも１種を示す。）などのＹＡＧ蛍光体、ＡＥ２ＳｉＯ４：Ｅｕ蛍光体（ＡＥは、Ｓｒ、Ｂａ、Ｃａなどのアルカリ土類元素を示す。）やＣａ３Ｓｃ２Ｓｉ３Ｏ１２：Ｃｅ蛍光体などのケイ酸塩蛍光体、サイアロン系蛍光体（例えば、ＣａｘＳｉｙＡｌｚＯＮ：Ｅｕ2+）、およびＣａ３Ｓｃ２Ｏ４：Ｃｅ蛍光体などの中から蛍光体の特性や用途に応じて選択される（上記ｘ、ｙ、ｚの係数は適宜決定することができる）。例えば、前記青色光に励起されて波長５００ｎｍ以上５４０ｎｍ未満の範囲に発光強度のピークを有する緑色蛍光体などを用いることができる。
【００９７】
上記に構成された本実施例の発光装置は、実施例１と同様に、器具本体６０内に収納され面光源としての照明器具７０が構成され、例えば、店舗内を各種の照明環境に合わせて照明を行うことができる。
【００９８】
特に、第二発光部４０には、主波長が４６０ｎｍの青色ＬＥＤチップ４２Ｂにより励起される黄色蛍光体２５および緑色蛍光体２６を有してなる中色温度発光部Ｃを設けたので、緑色蛍光体２６の混色によって図９に破線で示すように、より一層黒体軌跡ａに沿ったきめ細かい範囲での白色光をつくり出すことできる。
【００９９】
また、青色ＬＥＤチップ４２Ｂにより励起される黄色蛍光体２５および緑色蛍光体２６を有してなる中色温度発光部Ｃは、青色ＬＥＤチップ４０Ｂにより励起される黄色蛍光体２５および赤色蛍光体２４を有してなる低色温度発光部Ａと青色ＬＥＤチップ４１Ｂにより励起される黄色蛍光体２５を有してなる高色温度発光部Ｂとの間に位置させて配置したので、比較的輝度が高い緑色の発光部分が３列の中央部に位置するので、一方に片寄らない全体として均一な輝度の発光面を構成することがでる。
【０１００】
本実施例において、緑色系蛍光体は、黄色蛍光体と緑色蛍光体で構成したが、緑色蛍光体のみで中色温度である５０００Ｋの昼白色に近い白色で発光させるように構成してもよい。また、青色ＬＥＤチップと各種蛍光体の組み合わせによって、さらに異なる色温度１００００Ｋなどに発光する発光体を追加し一層黒体軌跡に沿ったきめ細かな範囲での白色光をつくり出すことできるようにしてもよい。
【０１０１】
その他、本実施例における他の構成、作用、作用効果、変形例等は、実施例１と同様である。
【実施例３】
【０１０２】
本実施例は、第二発光部を、青色発光ダイオードチップと、青色発光ダイオードチップおよびこの青色発光ダイオードチップにより励起される緑色系蛍光体を有してなる中色温度発光部Ｃと、赤色発光ダイオードチップで構成したもので、以下その構成を図１０に従い説明する。図１０には実施例１および２と同一部分に同一の符号を付して、詳細な説明は省略する。
【０１０３】
第一発光部３０は、実施例１および２と同様に、主波長が６２０ｎｍの赤色ＬＥＤチップ３０Ｒ、主波長が５２０ｎｍの緑色ＬＥＤチップ３０Ｇおよび主波長が４６０ｎｍの青色ＬＥＤチップ３０Ｂで構成され、複数個の赤色ＬＥＤチップ３０Ｒが実装された配線基板２１Ｒが、基板２０の図１０中左端の溝２０ａに配置され、以下、緑色ＬＥＤチップ３０Ｇが隣の溝２０ｂに、青色ＬＥＤチップ３０Ｂがさらに隣の溝２０ｃに順に配置される。
【０１０４】
本実施例の第二発光部４０は図１０（ａ）に示すように、主波長が４６０ｎｍの青色ＬＥＤチップ５０Ｂと、主波長が４６０ｎｍの青色ＬＥＤチップ４３Ｂおよびこの青色ＬＥＤチップ４３Ｂにより励起される緑色系蛍光体２７を有してなる中色温度発光部Ｃと、主波長が６２０ｎｍの赤色ＬＥＤチップ５０Ｒで構成する。主波長が４６０ｎｍの青色ＬＥＤチップ４３Ｂにより励起される緑色系蛍光体２７を有してなる中色温度発光部Ｃにより色温度５０００Ｋの昼白色を発光する。
【０１０５】
この３種類の各ＬＥＤチップ５０Ｂ、４３Ｂ、５０Ｒは、それぞれ複数個用意され、それぞれの１本の長方形のプリント配線基板２２Ｂ、２３Ｂ、２４Ｂの長手方向に沿って略等間隔に配置して実装される。複数個の青色ＬＥＤチップ５０Ｂが実装された配線基板２２Ｂを、第一発光部の青色ＬＥＤチップ３０Ｂの隣の溝２０ｄに配置し、さらに隣の溝２０ｅに青色ＬＥＤチップ４３Ｂを、さらにその隣の溝２０ｆに赤色ＬＥＤチップ５０Ｒを順に配置する。
【０１０６】
上記に配置された基板２０の各溝には、透明樹脂層または蛍光体を充填する。すなわち、青色ＬＥＤチップ５０Ｂを配置した溝２０ｄには、外側に塗布または充填等の手段で透明樹脂層２２を形成する。また、色温度５０００Ｋの昼白色を発光させるための青色ＬＥＤ４３Ｂを配置した溝２０ｅには、青色ＬＥＤチップ４３Ｂにより励起される緑色系蛍光体２７を充填する。さらに、赤色ＬＥＤ５０Ｒを配置した溝２０ｆには、外側に塗布または充填等の手段で透明樹脂層２２を形成する。
【０１０７】
上記により、基板２０上に、３列からなる第二発光部４０が３列からなる第一発光部３０に隣接して配置される。本実施例では、上記３列の第一発光部３０と３列の第二発光部４０からなる発光群を、さらにもう１群配置して構成する。
【０１０８】
上記に構成された本実施例の発光装置は、実施例１および２と同様に、器具本体６０内に収納され面光源としての照明器具７０が構成され、例えば、店舗内を各種の照明環境に合わせて照明を行うことができる。特に、第二発光部４０には、主波長が４６０ｎｍの青色ＬＥＤチップ４３Ｂにより励起される緑色系蛍光体２７を有してなる中色温度発光部Ｃを設けたので、緑色系蛍光体２７の混色によって図９に破線で示すように、より一層黒体軌跡ａに沿ったきめ細かい範囲での白色光をつくり出すことできる。
【０１０９】
また、青色ＬＥＤチップおよび赤色ＬＥＤチップと青色ＬＥＤチップにより励起される緑色系蛍光体の組み合わせにより白色を得るようにしたので、白色の効率が５０ｌｍ／Ｗ以上となり効率が高くなる。さらに、例えば、緑色系蛍光体としてＳｉＯＮ等の蛍光体を用いれば、温度特性も良好となり、発光ダイオードのような波長シフトが生じない。因みに、青色ＬＥＤチップ＋緑色ＬＥＤチップ＋赤色ＬＥＤチップの組み合わせよりも白色の効率が高い。さらに、青色ＬＥＤチップ＋緑色蛍光体（青色ＬＥＤチップで励起）＋赤色蛍光体（青色ＬＥＤチップで励起）の組み合わせよりも白色の効率が高い。
【０１１０】
本実施例において、青色ＬＥＤチップ４３Ｂにより励起される緑色系蛍光体２７は、緑色蛍光体のみで構成しても、黄色蛍光体と緑色蛍光体（黄緑色に近い）により構成し、５０００Ｋの昼白色に近い白色で発光させるように構成してもよい。
【０１１１】
また、図１０（ｂ）に示すように、第二発光部４０は、主波長が４６０ｎｍの青色ＬＥＤチップ５０Ｂと、主波長が４６０ｎｍの青色ＬＥＤチップ５０Ｂ、主波長が６２０ｎｍの赤色ＬＥＤチップ５０Ｒおよび緑色系蛍光体２７を有してなる中色温度発光部Ｃと、主波長が６２０ｎｍの赤色ＬＥＤチップ、若しくは主波長が４６０ｎｍの青色ＬＥＤチップからなるＬＥＤチップ９０で構成してもよい。
【０１１２】
その他、本実施例における他の構成、作用、作用効果、変形例等は、実施例１および２と同様である。
【０１１３】
上記各実施例の照明器具は、屋内の照明を行う照明器具として構成したが、家庭用、さらには、店舗、施設、業務用等の屋外用の各種照明器具として構成してもよい。
【０１１４】
以上、本発明の好適な実施形態を説明したが、本発明は上述の各実施例に限定されることなく、本発明の要旨を逸脱しない範囲内において、種々の設計変更を行うことができる。
【図面の簡単な説明】
【０１１５】
【図１】本発明の第一実施形態である発光装置を示し、（ａ）は平面図、（ｂ）は（ａ）のＡ−Ａ線に沿う断面図。
【図２】同じく発光装置を拡大し符号を付して示した図１（ｂ）相当図。
【図３】同じく発光装置の制御回路図。
【図４】同じく照明器具の横断面図。
【図５】同じく発光装置の第二発光部の色温度の変化を模式的に示す図。
【図６】同じく発光装置の発光領域を示すための色度図。
【図７】同じく変形例における発光装置の発光領域を示すための色度図。
【図８】本発明の第二実施形態である発光装置を示した図１（ｂ）相当図。
【図９】同じく発光装置の第二発光部の色温度の変化を模式的に示す図。
【図１０】本発明の第三実施形態である発光装置を示し、（ａ）は図１（ｂ）相当図、（ｂ）は変形例の一部を示す図１（ｂ）相当図。
【符号の説明】
【０１１６】
１０  発光装置
２０  基板
２４  赤色蛍光体
２５  黄色蛍光体
２６  緑色蛍光体
２７  緑色系蛍光体
３０  第一発光部
３０Ｒ  赤色発光ダイオードチップ
３０Ｇ  緑色発光ダイオードチップ
３０Ｂ  青色発光ダイオードチップ
４０  第二発光部
Ａ    低色温度発光部
Ｂ    高色温度発光部
Ｃ    中色温度発光部
４０Ｂ、４１Ｂ  青色発光ダイオードチップ
５０  可変色手段
６０  器具本体
７０  照明器具
【図１】
2008270701.tif 000003
【図２】
2008270701.tif 000004
【図３】
2008270701.tif 000005
【図４】
2008270701.tif 000006
【図５】
2008270701.tif 000007
【図６】
2008270701.tif 000008
【図７】
2008270701.tif 000009
【図８】
2008270701.tif 000010
【図９】
2008270701.tif 000011
【図１０】
2008270701.tif 000012